(57)【要約】【課題】面材の室内側面の結露水をスムーズに室外側に排水できると共に、強風雨時に雨水等が室内側に吹き込むことがない建具とする。【解決手段】枠体１の面材嵌入溝（ガラス嵌入溝２）に面材（ガラス３）を装着すると共に、前記面材嵌入溝の室内側縦内面と面材の室内側面との間を室内側水密材４で水密し、この室内側水密材４における面材の下端側に位置する部分を不連続して面材の室内側面を面材嵌入溝に連続する水抜き空間部６を形成し、この水抜き空間部６に通水性部材７を設けると共に、前記面材嵌入溝に排水孔５を形成し、面材の室内側面の結露水を通水性部材７を通して排水孔５から排水し、その排水孔５から吹き込んだ雨水等は通水性部材７を通ることがないようにする。【選択図】図３
2008231856.tif 000002
【特許請求の範囲】
【請求項１】
枠体と枠体内に設けられる面材とを有した建具であって、
前記枠体は、面材の端面が挿入される面材嵌入溝を有し、
前記面材嵌入溝は、前記面材の室内側面と対向する対向面を有して構成されていると共に、排水孔を有し、
前記対向面と前記面材の室内側面との間を室内側水密材で水密し、
前記室内側水密材における前記面材の下端側に位置する部分を不連続として水抜き空間部を形成し、当該水抜き空間部に通水性部材を設け、
前記室内側水密材は、取付部と、水密部と、を有し、
前記通水性部材は、取付部と、流体の流通量を制限する通水部と、を有し、
前記各取付部を前記対向面に設けた取付用溝に挿入して取付けたことを特徴とする建具。
【請求項２】
前記水抜き空間部において相対向した前記水密部の端面に、前記通水部の両端部を接した請求項１記載の建具。
【請求項３】
前記通水性部材の通水部の上方に、結露水が溜まる上向き凹陥部を形成した請求項２記載の建具。
【請求項４】
前記通水性部材の通水部は、可撓性のフィンを有し、このフィンの先端部が面材の室内側面に接して下向きに湾曲変形している請求項２又は３記載の建具。
【請求項５】
前記通水性部材の通水部は、前記フィンの上面側にパイルを有している請求項４記載の建具。
【発明の詳細な説明】
【技術分野】
【０００１】
本発明は、嵌め殺し窓、可動障子などの枠体に面材を装着した建具に関する。
【背景技術】
【０００２】
嵌め殺し窓や可動障子においては、室内と室外との温度差によってガラスの室内側面に結露が生じ、結露水が流れ落ちて枠体の下部から室内側に流れ込むことがある。
この結露水を室外側に排水するようにした嵌め殺し窓が特許文献１、特許文献２に開示されている。
【０００３】
前記特許文献１に開示された嵌め殺し窓は、枠体の下枠におけるガラス嵌入溝とガラスの室内側面との間を水密するシーリング材の一部分に水抜き孔を形成し、前記下枠のガラス嵌入溝の底部に排水孔を形成し、ガラスの室内側面の結露水が水抜き孔からガラス嵌入溝に流入し、排水孔から室外側に排水するようにしてある。
【０００４】
特許文献２に開示された嵌め殺し窓は、枠体の縦枠下部に室内側排水口を形成し、下枠に室外側排水口を形成して下枠内に排水通路を形成すると共に、この排水通路に通水性充填物を充填し、ガラスの室内側面の結露水を室内側排水口から排水通路を通して室外側排水口から室外に排水するようにしている。
【特許文献１】実開昭６２−１９００８８号公報
【特許文献２】特開昭６０−１１５７８８号公報
【発明の開示】
【発明が解決しようとする課題】
【０００５】
特許文献１に開示された嵌め殺し窓であると、強風雨時に雨水等が排水孔を通して水抜き孔から室内側に吹き込む恐れがある。
特許文献２に開示された嵌め殺し窓であると、通水性充填物によって強風雨時に雨水等が室内側排水口から室内側に吹き込むことを防止できるが、排水通路の全体に通水性充填物を充填するので、その通水性充填物の使用量が多く、結露水の流通抵抗が大きいと共に、排水通路は横向きで結露水が流れにくいので、これらが相俟ってスムーズに結露水を室外側に排水できない。
【０００６】
本発明は、結露水をスムーズに室外側に排水できると共に、強風雨時に雨水等が室内側に吹き込むことがないようにした建具とすることである。
【課題を解決するための手段】
【０００７】
本発明は、枠体と枠体内に設けられる面材とを有した建具であって、
前記枠体は、面材の端面が挿入される面材嵌入溝を有し、
前記面材嵌入溝は、前記面材の室内側面と対向する対向面を有して構成されていると共に、排水孔を有し、
前記対向面と前記面材の室内側面との間を室内側水密材で水密し、
前記室内側水密材における前記面材の下端側に位置する部分を不連続として水抜き空間部を形成し、当該水抜き空間部に通水性部材を設け、
前記室内側水密材は、取付部と、水密部と、を有し、
前記通水性部材は、取付部と、流体の流通量を制限する通水部と、を有し、
前記各取付部を前記対向面に設けた取付用溝に挿入して取付けたことを特徴とする建具である。
【０００８】
本発明においては、前記水抜き空間部において相対向した前記水密部の端面に、前記通水部の両端部を接することができる。
このようにすれば、水密部の端面と通水部との間を水密することができるから、その間から強風雨時に雨水等が室内側に吹き込むことがない。
【０００９】
本発明においては、通水性部材の通水部の上方に、結露水が溜まる上向き凹陥部を形成することができる。
このようにすれば、面材の室内側面の結露水が上向き凹陥部に溜まるので、その結露水が通水部を通って下方に流れ易くなる。
また、上向き凹陥部にある程度結露水を溜めることができるため、通水部を直ぐに通水できなかった結露水の室内側への流出を防ぐことができる。
したがって、結露水をより一層スムーズに室外側に排水できる。
【００１０】
本発明においては、通水性部材の通水部は、可撓性のフィンを有し、このフィンの先端部が面材の室内側面に接して下向きに湾曲変形させることができる。
このようにすれば、フィンの上に結露水が溜まることでフィンは下向きに湾曲変形して面材の室内側面との間から結露水が流れ落ち、そのフィンの下に雨水等が作用した時には上向きに湾曲変形し難いから面材の室内側面との間から雨水等が室内側に吹き込むことがない。
【００１１】
本発明においては、通水性部材の通水部は、フィンの上面側にパイルを有していることができる。
このようにすれば、フィンの下面に雨水や風圧等によって上方へ付勢された場合でも、フィンの上面側に位置するパイルによってめくれ上がり難くすることができる。
【発明の効果】
【００１２】
本発明によれば、面材の室内側面の結露水は通水性部材を通して面材嵌入溝に流れ落ち、排水孔から排水されるので、スムーズに室外側に排水できる。
また、排水孔から吹き込んだ雨水等は通水性部材で上向きに流れることが制限されるので、強風雨時に雨水等が排水孔を通して室内側に吹き込むことがない。
また、室内側水密材を取付ける取付用溝を利用して通水性部材を簡単に取付けできる。
【発明を実施するための最良の形態】
【００１３】
図１に示すように、枠体１の面材嵌入溝としてのガラス嵌入溝２に面材としてのガラス３を装着して建具としてある。
前記ガラス嵌入溝２は枠体１の内周面１ａに開口していると共に、全周に亘って連続している。
図２に示すように、前記ガラス嵌入溝２の対向面としての室内側縦内面２ａとガラス３の室内側面３ａとの間が室内側水密材４で水密されている。
図３に示すように、前記枠体１のガラス嵌入溝２は排水孔５を有する、例えば底部２ｂにおける下部に排水孔５が形成されている。
前記室内側水密材４における前記ガラス３の下端側に位置する部分は不連続で、その室内側水密材４の相対向した端面４ａ，４ａ間とガラス３の室内側面３ａと枠体１のガラス嵌入溝２の室内側縦内面２ａとの間に水抜き空間部６を形成している。
要するに、室内側水密材４における前記ガラス３の下端側に位置する長手方向の一部分を不連続として水抜き空間部６を形成している。
【００１４】
前記水抜き空間部６はガラス３の室内側面３ａと連続していると共に、前記ガラス嵌入溝２の上部（開口部）に位置して前記ガラス嵌入溝２の底部２ｂよりも高い位置にあり、ガラス３の室内側面３ａの結露水が水抜き空間部６を流れ落ちてガラス嵌入溝２の底部２ｂまで落下する。
前記水抜き空間部６に通気性部材７を取付けてある。
この通気性部材７は、水や空気などの流体の流通量（通過量）を制限するものである。例えば、上から下に向けて水が流れ易いが、下から上に向けては水が流れにくいものである。
【００１５】
このようであるから、ガラス３の室内側面３ａの結露水は通水性部材７を通してガラス嵌入溝２の底部２ｂに流れ落ち、排水孔５から室外側に排水される。この排水孔５から直接室外側に排水しても良いし、排水孔５から排水経路を通して室外側に排水するようにしても良い。
また、通水性部材７の上下寸法は短く、結露水の流入抵抗が小さいし、水抜き空間部６には縦向きに結露水が流れるから流れ易いので、これらが相俟ってスムーズに結露水が流れ落ちるから、ガラス３の室内側面３ａの結露水をスムーズに室外側に排水できる。
また、強風雨時に雨水等が排水孔５からガラス嵌入溝２内に入り込むが、通水性部材７によって室内側に吹き込むことを抑制できる。
【００１６】
前述の説明において、図１は概略的に図示してあると共に、図２、図３は建物躯体の取付を含めて具体的に図示してあるので、図１と図２、図３は寸法、形状が相違する部分がある。
【００１７】
次に、前記室内側水密材４と通水性部材７について詳細に説明する。
前記室内側水密材４は図２に示すように、取付部４ｂと水密部４ｃを備え、その取付部４ｂを室内側縦内面２ａの取付用溝８に嵌入して取付け、その水密部４ｃがガラス３の室内側面３ａに押しつけられる。
前記通水性部材７は図３に示すように取付部７ａと通水部７ｂを備え、その取付部７ａを前記取付用溝８に嵌入して取付け、その通水部７ｂがガラス３の室内側面３ａに接している。この通水部７ｂが流体の流通量を制限する。
【００１８】
図４と図５に示すように、室内側水密材４の不連続部における水密部４ｃの相対向した端面４ａに、通水性部材７の通水部７ｂの両端部が接し、その通水部７ｂと水密部４ｃとの間を結露水が流れたり、強風雨時に雨水等が吹き込み難くするように水密している。
このようであるから、室内側水密材４を取付けるための取付用溝８を利用して通水性部材７を簡単に取付けできると共に、この通水性部材７（通水部７ｂ）と室内側水密材４の端面４ａ（水密部４ｃの端面４ａ）との間を水密し、その間から強風雨時に雨水等が室内側に吹き込み難くしている。
【００１９】
前記通水性部材７の取付部７ａは、図３〜図５に示すように、基板１０の背面に嵌入片１１を設けたもので、その基板１０の正面における上下中間に通水部７ｂが設けてあり、その嵌入片１１を取付用溝８に嵌入することで基板１０が室内側縦内面２ａに接して取付用溝８を閉塞する。
そして、前記基板１０の幅寸法（上下寸法）が通水部７ｂの上下寸法よりも大きく、基板１０の正面と通水部７ｂとガラス３の室内側面３ａとで図３に示すように上向き凹陥部１２を形成している。要するに、通水部７ｂの上方に結露水が溜まる上向き凹陥部１２を形成すれば良い。
【００２０】
このようであるから、ガラス３の室内側面３ａの結露水は前述の上向き凹陥部１２に溜まるので、通水部７ｂを通って下方に流れ易くなるから、結露水をより一層スムーズに室外側に排水できる。
また、通水部７ｂを直ぐに通過できなかった結露水が室内側に流出することを防いでいる。
【００２１】
次に、通水性部材７の具体例を図６と図７に基づいて説明する。
前記取付部７ａの基板１０は所定の厚さと幅と長さを有する矩形板状で、その背面１０ａの幅方向中央に嵌入片１１が一体的に設けてあり、この基板１０と嵌入片１１は柔軟で長手方向に湾曲変形可能である。
前記気密部７ｂは、プレート１３にフィン１４と、上のパイル１５と、下のパイル１６を植設したもので、そのプレート１３が基板１０の正面１０ｂの幅方向中央（上下方向中央）に固着して取付けてある。
前記フィン１４は可撓性を有するシート状である。前記上のパイル１５、下のパイル１６は細い線状片を多数有したもので、例えばモヘヤと呼ばれるものである。
前記フィン１４、上下のパイル１５，１６の先端部は室内側水密材４の先端面４ｄよりも正面側（室外側）に突出している。
前記フィン１４の先端部が上のパイル１５、下のパイル１６の先端部よりも正面側（室外側）に突出している。
【００２２】
前記取付部７ｂを取付用溝８に取付けることで、図７に示すようにフィン１４の先端部、上下のパイル１５，１６の先端部をガラス３の室内側面３ａに接して下向きにそれぞれ湾曲変形させる。
このようであるから、フィン１４は上から下に向かう外力で下方に向けて湾曲変形し易いが、下から上に向かう外力では上方に向けて湾曲変形しにくい。
したがって、フィン１４の上に結露水が溜まると、その結露水の重さでフィン１４が下方に向けて湾曲変形して先端部をガラス３の室内側面３ａとの間から結露水が下方に流れ落ちる。
また、強風雨時にフィン１４の下に雨水等が吹きつけられても上方に向けて湾曲変形し難くなっている。
【００２３】
前記上のパイル１５はフィン１４が上方へ湾曲変形し難くし、下のパイル１６はフィン１４の下に吹きつけられる雨水の勢いを弱める。
また、上のパイル１５と下のパイル１６を有しているから、通水性部材７を上下反転して取付けても同様の機能を発揮し、通水性部材７の上下の取付け誤りを生じることがない。
【００２４】
前記気密部７ｂは、フィン１４のみで良いし、フィン１４と上のパイル１５のみでも良く、さらにはフィン１４と下のパイル１６のみでも良い。
また、気密部７ｂはフィン１４を用いずに上下のパイル１５，１６のみとでも良い。
【００２５】
この実施の形態の枠体１は、室内側の内枠２０と室外側の外枠３０を連結してガラス嵌入溝２を周方向に連続して有するものとしてある。
前記内枠２０は縦板２１と横板２２で断面鈎形状のリング形状で、横板２２に取付板２３が縦板２１と連続して一体的に設けてある。
前記縦板２１が前述の室内側縦内面２ａで、室外側に開口した取付用溝８が形成してある。
前記外枠３０の内枠２０に向かう内側面３１の外周１寄りと横板２２の外枠３０に向かう外側面２２ａとは離隔し、水密材３２で水密してある。
前記水密材３２の下の部分が不連続となって図３に示すように排水孔５としてある。
前記ガラス３の室外側面３ｂと外枠３０の内側面３１の内周寄りとの間が室外側水密材３３で水密してある。
【００２６】
前述の実施の形態の枠体１は矩形状としてあるが、これに限ることはなく任意の形状とすることができる。
例えば、図８に示すように丸形状、図９に示すように菱形状とすることができる。
図８に示す丸形状の場合には、室内側水密材４は円形リング状で、取付用溝８も円形環状となるから、通水性部材７を円弧形状とする。
例えば、図６に示す通水性部材７の取付部７ａを円弧形状に湾曲して取付用溝８に取付ける。
【００２７】
図９に示す菱形状の場合には、室内側水密材４の最も下の部分はＶ字状となるから、取付用溝８の通水性部材７を取付ける部分もＶ字形状となるから、通水性部材７をＶ字形状とする。
例えば、図６に示す通水性部材７の取付部７ａをＶ字形状に湾曲して取付用溝８に取付ける。
または、２つの通水性部材７を取付用溝８にそれぞれ取付けてＶ字状とする。
【００２８】
前記枠体１は内枠２０と外枠３０でガラス嵌入溝２を有するものとしたが、これに限ることはなく、上枠、下枠、左右の縦枠を連結したものとしても良い。
また、前記実施の形態では嵌め殺し窓タイプの建具について説明したが、可動可能な障子を有した建具、例えば引違い窓や縦辷り出し窓等のように、開口枠に開閉可能に設けた可動障子を有した建具であっても良い。この場合、可動障子が四周框組（枠体）されたものにガラス（面材）が設けられ、ガラスの室内側面と框（枠体）のガラス嵌入溝の対向面（室内側縦内面）との間に通水性部材や室内側水密材を設ける
。
【図面の簡単な説明】
【００２９】
【図１】本発明の第１の実施の形態を示すガラス建具の一部を破断した概略内観図である。
【図２】図１のＡ−Ａ拡大詳細断面図である。
【図３】図１のＢ−Ｂ拡大詳細断面図である。
【図４】通水性部材を取付けた部分の正面図である。
【図５】通水性部材を取付けた部分の平面図である。
【図６】通水性部材の拡大斜視図である。
【図７】通水性部材とガラスの室内側面との接している部分の拡大図である。
【図８】本発明の第２の実施の形態を示すガラス建具の一部を破断した概略外観図である。
【図９】本発明の第３の実施の形態を示すガラス建具の一部を破断した概略外観図である。
【符号の説明】
【００３０】
１…枠体、２…ガラス嵌入溝（面材嵌入溝）、２ａ…室内側縦内面（対向面）、２ｂ…底壁、３…ガラス（面材）、３ａ…室内側面、４…室内側水密材、４ａ…端面、５…排水孔、６…水抜き空間部、７…通水性部材、７ａ…取付部、７ｂ…通水部、８…取付用溝、１４…フィン、１５…上のパイル、１６…下のパイル。
【図１】
2008231856.tif 000003
【図２】
2008231856.tif 000004
【図３】
2008231856.tif 000005
【図４】
2008231856.tif 000006
【図５】
2008231856.tif 000007
【図６】
2008231856.tif 000008
【図７】
2008231856.tif 000009
【図８】
2008231856.tif 000010
【図９】
2008231856.tif 000011